(57)【特許請求の範囲】
【請求項１】
光ビームを光ディスク上に集光させる対物レンズと、該対物レンズをその光軸方向あるいは光軸と直角方向に駆動するための力を発生させる少なくとも１個以上の駆動コイルと、該駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸に対し斜めに傾いた部材で、前記対物レンズの光軸と直角方向に伸びた前記ヨークの底面と連結され、
前記斜めに傾いた部材は前記複数の壁によって構成される有効磁気ギャップ部分とは別の部分に設けられており、
前記斜めに傾いた部材に隣接するように前記対物レンズよりも外径の大きいコリメートレンズが配置されていることを特徴とする対物レンズ駆動装置。
【請求項２】
光ビームを光ディスク上に集光させる対物レンズと、該対物レンズをその光軸方向あるいは光軸と直角方向に駆動するための力を発生させる少なくとも１個以上の駆動コイルと、該駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸と直角方向に伸びた前記ヨークの底面と、略Ｌ次状の部材で連結され、
前記略Ｌ次状の部材は前記複数の壁によって構成される有効磁気ギャップ部分とは別の部分に設けられており、
前記略Ｌ次状の部材に隣接するように前記対物レンズよりも外径の大きいコリメートレンズが配置されていることを特徴とする対物レンズ駆動装置。
【請求項３】
請求項１または請求項２記載において、前記ヨークをプレス加工で成形したことを特徴とする対物レンズ駆動装置。
【請求項４】
請求項１または請求項２記載において、前記ヨークをメタルインジェクションモールディング製法で成形したことを特徴とする対物レンズ駆動装置。
【請求項５】
請求項１または請求項２記載において、前記ヨークを焼結合金で成形したことを特徴とする対物レンズ駆動装置。
【請求項６】
光ビームを光ディスク上に集光させる対物レンズと、該対物レンズをその光軸方向あるいは光軸と直角方向に駆動するための力を発生させる少なくとも１個以上の駆動コイルと、前記対物レンズを光ディスク半径方向あるいは接線方向あるいはその両方向に傾動動作するための少なくとも１個以上の傾動駆動コイルと、前記駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸に対し斜めに傾いた部材で、前記対物レンズの光軸と直角方向に伸びた前記ヨークの底面と連結され、
前記斜めに傾いた部材は前記複数の壁によって構成される有効磁気ギャップ部分とは別の部分に設けられており、
前記斜めに傾いた部材に隣接するように前記対物レンズよりも外径の大きいコリメートレンズが配置されていることを特徴とする対物レンズ駆動装置。
【請求項７】
光ビームを光ディスク上に集光させる対物レンズと、該対物レンズをその光軸方向あるいは光軸と直角方向に駆動するための力を発生させる少なくとも１個以上の駆動コイルと、前記対物レンズを光ディスク半径方向あるいは接線方向あるいはその両方向に傾動動作するための少なくとも１個以上の傾動駆動コイルと、前記駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸と直角方向に伸びた前記ヨークの底面と、略Ｌ次状の部材で連結され、
前記略Ｌ次状の部材は前記複数の壁によって構成される有効磁気ギャップ部分とは別の部分に設けられており、
前記略Ｌ次状の部材に隣接するように前記対物レンズよりも外径の大きいコリメートレンズが配置されていることを特徴とする対物レンズ駆動装置。
【請求項８】
光ビームを光ディスク上に集光させる対物レンズを有する対物レンズ駆動装置を備えた光ディスク装置において、前記対物レンズ駆動装置が請求項１ないし７のいずれか１項記載の対物レンズ駆動装置であることを特徴とする光ディスク装置。
【発明の詳細な説明】
【０００１】
【発明の属する技術分野】
本発明は、光ディスク装置に用いられる対物レンズ駆動装置に関するものである。
【０００２】
【従来の技術】
光ディスク装置に用いられる対物レンズ駆動装置の一例として、例えば特開平７−２４００３１号公報に記載のものが知られている。
【０００３】
図７はその基本的な構成を示したものである。対物レンズ１は、フォーカシングコイル３とトラッキングコイル４が巻回されたレンズホルダ２の中央に配置されて可動部を構成している。該可動部には４本の弾性支持部材８の一端が固定されており、該弾性支持部材８は導電性部材で構成されている。可動部に配置されたフォーカシングコイル３とトラッキングコイル４は、可動部内で、前記弾性支持部材８と電気的にも結合されており、かつ、４本の弾性支持部材８の他端は、固定部に物理的にも電気的にも結合され、可動部を支持している。
【０００４】
一方、マグネット６とヨーク５０，５１から構成される磁気回路は、対物レンズ１の両側に２組配置され、その磁気ギャップ内をフォーカシングコイル３とトラッキングコイル４が通過する構成となっている。従って、フォーカシングコイル３とトラッキングコイル４にそれぞれ駆動電流が流れると、磁気ギャップ内の磁束と駆動電流との電磁作用により電磁力が発生し、対物レンズ１はフォーカシング方向（対物レンズの光軸方向）及びトラッキング方向（対物レンズの光軸と直交する方向）に移動可能となっている。
【０００５】
フォーカシング制御時には、光ディスク記録面の面振れに対応して、対物レンズ１を光軸方向に動作させ、光ビームのスポットを光ディスク記録面上に追従させることができる。トラッキング制御時には、光ディスクのトラックの偏心・蛇行に対応して、対物レンズ１を光軸と直角方向に動作させ、光ビームのスポットを光ディスクのトラック上に追従させることができる。
【０００６】
【発明が解決しようとする課題】
近年、対物レンズ駆動装置が配置されている光ピックアップには、小型・薄型、かつ良好な動特性を有することが要求されている。従って、光学部品を効率よく配置し、スペースの無駄を排除する必要がある。また、良好な動特性を有する対物レンズ駆動装置を実現するには、可動部を小さく、軽くする必要がある。さらに、理想的な磁気回路構成とフォーカシングコイル及びトラッキングコイルとの関係を維持することも必要となる。
【０００７】
一般的に対物レンズ駆動装置の可動部の大きさと重量は、可動部に配置される対物レンズの外径に左右される場合が多い。即ち、外径の小さな対物レンズをレンズホルダに配置し、かつ、小さくなった分、レンズホルダも小さくし、フォーカシングコイルの巻径も小さくすることにより、可動部全体の軽量化を図っている。また、フォーカシングコイルの巻径が小さくなった分、フォーカシング駆動力を発生する有効フォーカシングコイル間隔が狭くなるので、それに合わせてヨークとマグネットから構成され、対物レンズの両側に配置されている２組の磁気回路間隔も狭くする必要がある。
【０００８】
一方、小型化、薄型化を目的にした光ピックアップの光学系の構成は、一般的に半導体レーザからの出射光の向きを光ディスク面と平行な向きとしており、このレーザ光をミラーによって方向を変え、光ディスクの記録面に対して略直角な向きにする構成が一般的である。この場合、発散光を略平行光にするコリメートレンズをミラーと対物レンズ間に配置することは、光ピックアップ全体の小型化、薄型化という点で有効な手段である。
【０００９】
しかし、コリメートレンズの外径は、対物レンズがトラッキング方向にシフトした時でも、その有効レーザ光束の範囲内に対物レンズの有効径が位置する関係でなければならないので、一般に対物レンズ外径よりも大きくなる。
【００１０】
図７に示す従来例の場合、対物レンズ駆動装置の２組の磁気回路は近接しているため、ヨーク５０とヨーク５１との間隔がコリメートレンズ７の外径よりも狭く、コリメートレンズ７を対物レンズ駆動装置の内側に配置することは困難であった。従って、対物レンズ１とミラー１０の間に、発散光を略平行光にするコリメートレンズ７を配置するには、コリメートレンズ７全体を完全に対物レンズ駆動装置の下に配置しなければならない。従って、光ピックアップ全体の薄型化という目的を達成するには不利な構成となっていた。
【００１１】
このように、従来の対物レンズ駆動装置の構成では、良好な動特性を維持しつつ、光ピックアップ全体を小型化、薄型化する場合、一定限度以下には薄型化できないという課題がある。
【００１２】
本発明は上記課題を解決するためになされたもので、良好な動特性を維持しつつ、光ピックアップ全体を小型化・薄型化が可能な対物レンズ駆動装置を実現することを目的としている。
【００１３】
【課題を解決するための手段】
上記課題を解決するために、第１の本発明は、
光ビームを光ディスク上に集光させる対物レンズと、該対物レンズをその光軸方向あるいは光軸と直角方向に駆動するための力を発生させる少なくとも１個以上の駆動コイルと、該駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸に対し斜めに傾いた部材で、前記対物レンズの光軸と直角方向に伸びた前記ヨークの底面と連結され、
前記斜めに傾いた部材は前記複数の壁によって構成される有効磁気ギャップ部分とは別の部分に設けられており、
前記斜めに傾いた部材に隣接するように前記対物レンズよりも外径の大きいコリメートレンズが配置されていることを特徴とするものである。
【００１４】
また上記課題を解決するために、第２の本発明は、
光ビームを光ディスク上に集光させる対物レンズと、該対物レンズをその光軸方向あるいは光軸と直角方向に駆動するための力を発生させる少なくとも１個以上の駆動コイルと、該駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸と直角方向に伸びた前記ヨークの底面と、略Ｌ次状の部材で連結され、
前記略Ｌ次状の部材は前記複数の壁によって構成される有効磁気ギャップ部分とは別の部分に設けられており、
前記略Ｌ次状の部材に隣接するように前記対物レンズよりも外径の大きいコリメートレンズが配置されていることを特徴とするものである。
【００１５】
また上記課題を解決するために、第３の本発明は、
光ビームを光ディスク上に集光させる対物レンズと、該対物レンズをその光軸方向あるいは光軸と直角方向に駆動するための力を発生させる少なくとも１個以上の駆動コイルと、前記対物レンズを光ディスク半径方向あるいは接線方向あるいはその両方向に傾動動作するための少なくとも１個以上の傾動駆動コイルと、前記駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸に対し斜めに傾いた部材で、前記対物レンズの光軸と直角方向に伸びた前記ヨークの底面と連結され、
前記斜めに傾いた部材は前記複数の壁によって構成される有効磁気ギャップ部分とは別の部分に設けられており、
前記斜めに傾いた部材に隣接するように前記対物レンズよりも外径の大きいコリメートレンズが配置されていることを特徴とするものである。
【００１６】
また上記課題を解決するために、第４の本発明は、
光ビームを光ディスク上に集光させる対物レンズと、該対物レンズをその光軸方向あるいは光軸と直角方向に駆動するための力を発生させる少なくとも１個以上の駆動コイルと、前記対物レンズを光ディスク半径方向あるいは接線方向あるいはその両方向に傾動動作するための少なくとも１個以上の傾動駆動コイルと、前記駆動コイルを保持するレンズホルダ等から構成される可動部と、
該可動部に一端が固定され、前記可動部を弾性支持する少なくとも１個以上の弾性支持部材と、
該弾性支持部材の他端が固定される固定部と、
前記駆動コイルに作用する磁束を発生するヨークとマグネットから構成される少なくとも１個以上の磁気回路とを備え、
前記ヨークの磁気ギャップを構成するための前記対物レンズの光軸方向に伸びた複数の壁のうちの少なくとも１個の壁に前記マグネットが配置され、前記複数の壁のうちの他の壁が前記マグネットと対向するように配置されて、
前記ヨークの複数の壁のうちの少なくとも１個の壁が、前記対物レンズの光軸と直角方向に伸びた前記ヨークの底面と、略Ｌ次状の部材で連結され、
前記略Ｌ次状の部材は前記複数の壁によって構成される有効磁気ギャップ部分とは別の部分に設けられており、
前記略Ｌ次状の部材に隣接するように前記対物レンズよりも外径の大きいコリメートレンズが配置されていることを特徴とするものである。
【００１７】
ここで前記ヨークは、プレス加工、メタルインジェクションモールディング製法あるいは焼結合金で構成される。
【００１８】
【発明の実施の形態】
以下、本発明の実施の形態を図面に基づいて説明する。図１は本発明の第１の実施の形態に係る対物レンズ駆動装置の正面断面構成図である。
【００１９】
図１においてレンズホルダ２には、対物レンズ１、フォーカシングコイル３、トラッキングコイル４等が配置されている。可動部は複数の弾性支持部材８で支持されており、その弾性支持部材８の一端は可動部に、他端は固定部に機械的に連結固定されている。
【００２０】
前記弾性支持部材８は、導電性材料で構成されており、可動部に配置された前記フォーカシングコイル３と前記トラッキングコイル４に、それぞれ電気的に接続されており、固定部側から弾性支持部材８を経由して、前記フォーカシングコイル３とトラッキングコイル４に電流を印加することが可能になっている。
【００２１】
前記固定部には２組の磁気回路が構成されている。該磁気回路は、マグネット６とヨーク５０，５１からなり、該ヨーク５０，５１の対物レンズ１の光軸方向に伸びた壁５０ａ，５１ａにマグネット６が配置され、同様に対物レンズ１の光軸方向に伸びた壁５０ｂ，５１ｂとが対向するように配置されている。
【００２２】
また、対物レンズ１の光軸方向に伸びた壁の内、マグネット６が配置されていない壁５０ｂ，５１ｂ（以後、内ヨークと呼ぶ）は、対物レンズ１の光軸に対して斜めに傾いた傾斜部５０ｄ，５１ｄを介して、ヨーク底面５０ｃ，５１ｃ（対物レンズ１の光軸に対して略直角方向に伸びた部分）と連結されている。
【００２３】
このときマグネット６と内ヨーク５０ｂ，５１ｂとで構成される磁気ギャップ部は一定間隔を維持しており、有効磁束密度分布としては問題ないように構成されている。従って、対物レンズ１の両側に存在する内ヨーク５０ｂ，５１ｂの間隔は、磁気ギャップ部で狭く、ヨーク底面５０ｃ，５１ｃ付近では広くなっている。
【００２４】
この内ヨーク５０ｂ，５１ｂ間隔が広くなっている部分に、前記対物レンズ１の外径より大きな外径を有するコリメートレンズ７を配置しており、内ヨーク５０ｂ，５１ｂ形状を上述のように構成することにより、コリメートレンズ７を対物レンズ駆動装置の内部に配置することができ、従って、光ピックアップ全体の薄型化が可能となっている。符号１０はミラー、１１は半導体レーザを示す。
【００２５】
次に、本発明の第１の実施形態において、その動作について説明する。光ディスクの上下の面振れ及びトラックの蛇行・偏心に対して、対物レンズ駆動装置は、対物レンズ１を、そのフォーカシングコイル３、トラッキングコイル４に適切に駆動電流を印加することによって駆動し、対物レンズ１によって集光された光ビームのスポットが光ディスクの記録面のトラック上に常に位置するよう制御する。
【００２６】
対物レンズ１は必要最小限の大きさになっており、その小さな対物レンズ１に合わせてレンズホルダ２も小さくなっている。また、レンズホルダ２に配置されたフォーカシングコイル３も同時に小さくなっており、可動部全体の小型化、軽量化が図られている。
【００２７】
レンズホルダ２の小型化に伴い、内ヨーク５０ｂ，５１ｂ間隔も狭くなるが、ヨーク底面５０ｃ，５１ｃ付近の間隔は広く確保されている。この広く確保された空間に対物レンズ１よりも外径の大きいコリメートレンズ７を配置することにより、コリメートレンズ７の厚さ方向の寸法を対物レンズ駆動装置の厚さで吸収可能となり、結果的に光ピックアップ全体の薄型化が可能となる。
【００２８】
このとき、内ヨーク５０ｂ，５１ｂ間隔が広くなっている部分は、有効磁気ギャップ部よりもミラー１０側の部分であるので、本来の磁束密度分布特性には、実質的に悪影響を殆ど与えることがなく、本来の良好な動特性を得ることが可能となる。
【００２９】
図２は、本発明の第２の実施形態に係る対物レンズ駆動装置の正面断面構成図である。この実施形態では、内ヨーク５０ｂ，５１ｂと、ヨーク底面５０ｃ，５１ｃとを、略Ｌ字状のＬ字状部５０ｅ，５１ｅで連結し、コリメートレンズ７を配置する空間を確保している。この場合も、有効磁気ギャップ部分とは別な部分で、内ヨーク５０ｂ，５１ｂ間隔を拡大しているので、本来の磁束密度分布と実質的に変わることなく、良好な対物レンズ駆動装置の動特性を確保しつつ、光ピックアップ全体の薄型化を実現できるという、第１の実施形態にて説明した効果と同様な効果を得ることができる。
【００３０】
図３は、本発明の第３の実施形態に係る対物レンズ駆動装置の正面断面構成図である。この実施形態では、ヨーク５０とマグネット６とから構成される磁気回路が１組の場合を示している。内ヨーク５０ｂとヨーク底面５０ｃとを、傾斜部５０ｄで連結し、コリメートレンズ７を配置する空間を確保している。この場合も、有効磁気ギャップ部分とは別の部分で、内ヨーク５０ｂ間隔を拡大しているので、本来の磁束密度分布と実質的に変わることなく、良好な対物レンズ駆動装置の動特性を確保しつつ、光ピックアップ全体の薄型化を実現できるという、第１の実施形態にて説明した効果と同様な効果を得ることができる。
【００３１】
図４は、本発明の第４の実施形態に係る対物レンズ駆動装置の正面断面構成図である。この実施形態では、ヨーク５０とマグネット６とから構成される磁気回路が１組の場合を示している。内ヨーク５０ｂと、ヨーク底面５０ｃとを、Ｌ字状部５０ｅで連結し、コリメートレンズ７を配置する空間を確保している。
【００３２】
この場合も、有効磁気ギャップ部分とは別の部分で、内ヨーク５０ｂ間隔を拡大しているので、本来の磁束密度分布と実質的に変わることなく、良好な対物レンズ駆動装置の動特性を確保しつつ、光ピックアップ全体の薄型化を実現できるという、第１の実施形態にて説明した効果と同様な効果を得ることができる。
【００３３】
図５は本発明の第５の実施の形態に係る対物レンズ駆動装置の上面図、図６はその正面断面構成図である。図５、図６に示す第５の実施形態では、対物レンズ１を光ディスク半径方向に傾動動作させるためのチルトコイル９が可動部に配置されており、かつ、チルトコイル９に作用する磁束を発生させるマグネット６ｃ，６ｄが固定部に配置されている。
【００３４】
第１の実施形態と同様に、内ヨーク５０ｂ，５１ｂと、ヨーク底面５０ｃ，５１ｃとが、傾斜部５０ｄ，５１ｄを介して連結され、コリメートレンズ７を配置する空間を確保している。
【００３５】
この場合も、有効磁気ギャップ部分とは別の部分で内ヨーク５０ｂ，５１ｂ間隔を拡大しているので、本来の磁束密度分布と実質的に変わることなく、良好な対物レンズ駆動装置の動特性を確保しつつ、光ピックアップ全体の薄型化を実現できるという、第１の実施形態にて説明した効果と同様な効果を得ることができる。
【００３６】
【発明の効果】
本発明は以上説明した通り、対物レンズ駆動装置の磁気回路を構成するヨークの、対物レンズの光軸方向に伸びた壁と、対物レンズ光軸に対して直角方向に伸びたヨーク底面とを直角に連結するのではなく、両者を対物レンズの光軸に対して略斜めに傾いた部材あるいは、略Ｌ字状の部材を介して連結することにより、有効磁気ギャップ部以外の部分で内ヨーク間隔を拡大することが可能となるため、この内ヨーク間隔を拡大した空間にコリメートレンズを配置し、コリメートレンズの厚さ方向の寸法を対物レンズ駆動装置内に吸収することができる。その結果、光ピックアップ全体を薄型化することが可能となる効果がある。
【００３７】
また、内ヨーク間隔を拡大する部分が、有効磁気ギャップ以外の部分であることから、本来の磁束密度分布特性を実質的に悪化させることなく磁気回路を構成することが可能となり、結果として、対物レンズ駆動装置の良好な動特性を維持したまま、上記光ピックアップの薄型化が可能になるという効果もある。
【図面の簡単な説明】
【図１】本発明の第１の実施形態に係る対物レンズ駆動装置の正面断面構成図である。
【図２】本発明の第２の実施形態に係る対物レンズ駆動装置の正面断面構成図である。
【図３】本発明の第３の実施形態に係る対物レンズ駆動装置の正面断面構成図である。
【図４】本発明の第４の実施形態に係る対物レンズ駆動装置の正面断面構成図である。
【図５】本発明の第５の実施形態に係る対物レンズ駆動装置の上面図である。
【図６】本発明の第５の実施形態に係る対物レンズ駆動装置の正面断面構成図である。
【図７】従来例に係る対物レンズ駆動装置の正面断面構成図である。
【符号の説明】
１  対物レンズ
２  レンズホルダ
３  フォーカシングコイル
４  トラッキングコイル
５０，５１  ヨーク
６  マグネット
７  コリメートレンズ
８  弾性支持部材
１０  ミラー
１１  半導体レーザ
【図１】
0004011760.tif 000002
【図２】
0004011760.tif 000003
【図３】
0004011760.tif 000004
【図４】
0004011760.tif 000005
【図５】
0004011760.tif 000006
【図６】
0004011760.tif 000007
【図７】
0004011760.tif 000008